(57)【要約】【課題】装着者の歩行支援に際して装着者に与える違和感を低減する。【解決手段】本実施の形態では、歩容が変化する場合の一例として、装着型ロボット１の装着者がエスカレータ３００に乗る場合を考える。装着者は、エスカレータ３００に乗ると、踏板上に立つか、歩くかして歩容が変化するが、エスカレータ３００を降りた後は、乗る前と同様の歩き方をすると考えられる。そこで、装着型ロボット１は、エスカレータ３００に乗る前に装着者の歩行を支援しつつ、歩行情報を検出してアーカイブに記憶しておき、装着者がエスカレータ３００から降りて再び歩き始める際に当該歩行情報を用いて歩行支援を行う。装着型ロボット１は、この制御方法により、装着者がエスカレータ３００を降りて歩く際の歩容を推定して先回りして制御するため、装着者に与える違和感を低減することができる。【選択図】図１
2012115313.tif 000002
【特許請求の範囲】
【請求項１】
歩行支援対象者の足部の動きを制御して歩行を支援する歩行支援手段と、
通常歩行における前記足部の動きを記録する記録手段と、
前記通常歩行が中断したことを検出する中断検出手段と、
前記中断した通常歩行の再開を判断する判断手段と、
前記判断手段で通常歩行が再開すると判断された場合に、固定された歩行面で前記記録手段が記録した足部の動きを用いて前記歩行支援手段による歩行の支援を再開する歩行支援再開手段と、
を具備したことを特徴とする歩行支援装置。
【請求項２】
前記歩行支援再開手段は、前記通常歩行が中断してから再開するまでの前記足部の動きの記録は用いないことを特徴とする請求項１に記載の歩行支援装置。
【請求項３】
前記歩行支援再開手段は、前記通常歩行が中断する直前の所定時間に前記記録手段で記録した足部の動きを用いて歩行の支援を再開することを特徴とする請求項１、又は請求項２に記載の歩行支援装置。
【請求項４】
前記中断検出手段は、前記歩行支援対象者が移動する歩行面に乗ったことを検知することにより前記通常歩行の中断を検出し、
前記判断手段は、前記歩行支援対象者が前記移動する歩行面の終点に到達したことを判断することにより前記通常歩行が再開すると判断することを特徴とする請求項１、請求項２、又は請求項３に記載の歩行支援装置。
【請求項５】
歩行支援対象者の足部の動きを制御して歩行を支援する歩行支援機能と、
通常歩行における前記足部の動きを記録する記録機能と、
前記通常歩行が中断したことを検出する中断検出機能と、
前記中断した通常歩行の再開を判断する判断機能と、
前記判断機能で通常歩行が再開すると判断された場合に、固定された歩行面で記録した足部の動きを用いて前記歩行支援機能による歩行の支援を再開する歩行支援再開機能と、
をコンピュータで実現する歩行支援プログラム。
【発明の詳細な説明】
【技術分野】
【０００１】
本発明は、歩行支援装置、及び歩行支援プログラムに関し、例えば、装着者の歩行運動をアシストするものに関する。
【背景技術】
【０００２】
近年、装着者の動作をアシストする装着型ロボットが注目を集めている。
装着型ロボットには、センサなどで体の動きを検知して装着者の身体動作を支援するものであり、例えば、重量物の持ち上げや歩行運動を補助することができる。
例えば、特許文献１の「装着式動作補助装置、装着式動作補助装置の制御方法および制御用プログラム」は、筋電センサにより装着者の動作意図を読み取って、装着者の運動を支援している。
【０００３】
ところで、装着型ロボットを都市部で着用して歩行支援する場合、歩行による移動と公共交通機関を使っての移動との併用が想定されるため、歩行路、エスカレータ、エレベータなどの歩容が異なる場面で、これらの場面に応じた歩行支援をする必要がある。
しかし、これまでに発表された装着型ロボットは、歩行に関しては、転倒しない、装着しやすい、機器の暴走により怪我をしない、といった安全面の工夫がされているものが主であり、歩容が変化する場合に装着者が感じる違和感を如何に低減するかという点はあまり考慮されていなかった。
今後、歩容の変化に対して装着者の感じる違和感を低減し、歩行支援のバリアフリー化を図ることが重要になってくる。
【０００４】
また、実施の形態で使用する通信技術に関しては、特許文献２の「通信機能を有する照明器具」がある。
この技術は、電力線によって照明体に信号を送信し、照明体から無線や光の変調により信号を送出するものである。
【先行技術文献】
【特許文献】
【０００５】
【特許文献１】特開２００５−９５５６１号公報
【特許文献２】特開２００９−１４１７６６号公報
【発明の概要】
【発明が解決しようとする課題】
【０００６】
本発明は、装着者の歩行支援に際して装着者に与える違和感を低減することを目的とする。
【課題を解決するための手段】
【０００７】
請求項１に記載の発明では、歩行支援対象者の足部の動きを制御して歩行を支援する歩行支援手段と、通常歩行における前記足部の動きを記録する記録手段と、前記通常歩行が中断したことを検出する中断検出手段と、前記中断した通常歩行の再開を判断する判断手段と、前記判断手段で通常歩行が再開すると判断された場合に、固定された歩行面で前記記録手段が記録した足部の動きを用いて前記歩行支援手段による歩行の支援を再開する歩行支援再開手段と、を具備したことを特徴とする歩行支援装置を提供する。
請求項２に記載の発明では、前記歩行支援再開手段は、前記通常歩行が中断してから再開するまでの前記足部の動きの記録は用いないことを特徴とする請求項１に記載の歩行支援装置を提供する。
請求項３に記載の発明では、前記歩行支援再開手段は、前記通常歩行が中断する直前の所定時間に前記記録手段で記録した足部の動きを用いて歩行の支援を再開することを特徴とする請求項１、又は請求項２に記載の歩行支援装置を提供する。
請求項４に記載の発明では、前記中断検出手段は、前記歩行支援対象者が移動する歩行面に乗ったことを検知することにより前記通常歩行の中断を検出し、前記判断手段は、前記歩行支援対象者が前記移動する歩行面の終点に到達したことを判断することにより前記通常歩行が再開すると判断することを特徴とする請求項１、請求項２、又は請求項３に記載の歩行支援装置を提供する。
請求項５に記載の発明では、歩行支援対象者の足部の動きを制御して歩行を支援する歩行支援機能と、通常歩行における前記足部の動きを記録する記録機能と、前記通常歩行が中断したことを検出する中断検出機能と、前記中断した通常歩行の再開を判断する判断機能と、前記判断機能で通常歩行が再開すると判断された場合に、固定された歩行面で記録した足部の動きを用いて前記歩行支援機能による歩行の支援を再開する歩行支援再開機能と、をコンピュータで実現する歩行支援プログラムを提供する。
【発明の効果】
【０００８】
本発明によれば、通常歩行の足の動きを記録しておき、装着者が通常歩行を再開する際に当該記録を用いて歩行支援することにより装着者の歩行支援に際して装着者に与える違和感を低減することができる。
【図面の簡単な説明】
【０００９】
【図１】エスカレータを運営する設備側の通信施設を説明するための図である。
【図２】装着型ロボットの装着状態や装着ロボットシステムを説明するための図である。
【図３】エスカレータの乗口などでの光の照射状態を示した図である。
【図４】装着型ロボットがエスカレータで行う歩行支援の手順を説明するためのフローチャートである。
【発明を実施するための形態】
【００１０】
（１）実施形態の概要
本実施の形態では、歩容が変化する場合の一例として、装着型ロボット１（図１）の装着者がエスカレータ３００に乗る場合を考える。
なお、歩容とは、歩行している際の身体の運動状態（歩き方）であり、歩行情報（歩幅、歩行ピッチ、歩行速度など）によって規定される。
【００１１】
装着者は、エスカレータ３００に乗ると、踏板（ステップ）上に立つか、歩くかして歩容が変化するが、エスカレータ３００を降りた後は、乗る前と同様の歩き方をすると考えられる。
そこで、装着型ロボット１は、エスカレータ３００に乗る前に装着者の通常の歩行を支援しつつ、歩行情報を検出してアーカイブに記憶しておき、装着者がエスカレータ３００から降りて再び歩き始める際に当該歩行情報を用いて歩行支援を行う。
【００１２】
装着型ロボット１は、この制御方法により、装着者がエスカレータ３００を降りて歩く際の歩容を推定して先回りして制御するため、装着者に与える違和感を低減することができる。
この制御方法は、筋電センサを用いた装着型ロボット１に適用することも可能であるが、筋電センサなどを用いない１次遅れの制御を行う場合でも違和感なく歩行支援することが可能となり、この場合、筋電センサを用いないため装着型ロボット１の装着性を向上させることができる。
【００１３】
本実施の形態では、歩行アシストと外部連携が必要となる公共交通機関の中から特にエスカレータを降りる場合の制御を取り上げ、装着者にエスカレータを降りた後に装置の制御に対して違和感を感じさせないような手法として、歩行履歴からのアーカイブに基づき、エスカレータを降りた後の歩行速度及び歩容を決める制御を実現する。
【００１４】
（２）実施形態の詳細
図１は、エスカレータ３００を運営する設備側の通信施設を説明するための図である。
装着者は、エスカレータ３００に乗って移動する。
装着型ロボット１は、装着者がエスカレータ３００手前の固定された歩行面を歩行している際の歩行情報をサンプリングしてアーカイブに記憶している。
エスカレータ３００の乗口には、照明１００が設置してあり、乗口に照明光を発光している。照明１００の照明光には、エスカレータ３００の踏板の速度、及び踏板の繰出ピッチが含まれた踏板情報が照明光を変調することにより重畳されている。
装着型ロボット１は、照明１００の照明光を照明領域内の位置２００にて検知し、これに含まれる踏板情報を受信する。
【００１５】
装着型ロボット１は、踏板情報により前方にエスカレータ３００が存在することを検知すると、歩行情報の記録を停止する。
次いで、装着型ロボット１は、踏板情報を受信すると、所定形状パターンの光を前進方向斜め下の歩行面に照射して像を投影すると共に撮像し、その像の歪みから乗口の櫛板（コムプレート）と踏板の段差を検出して櫛板から繰り出される踏板までの距離を算出する。
そして、装着型ロボット１は、踏板までの距離、及び踏板情報を用いて、装着者の足が適切に踏板に着地するように駆動する。
【００１６】
また、エスカレータ３００の降口手前の照明１０１が発光する光にも踏板情報が含まれており、装着型ロボット１は、照明１０１の照明領域内の位置２０１にて踏板情報を受信する。
そして、装着型ロボット１は、踏板情報を受信すると、位置２０２にて前方斜め下に像を投影し、その歪みから櫛板と踏板の段差を検出して櫛板までの距離を算出する。
次に、装着型ロボット１は、櫛板までの距離、及び踏板情報を用いて装着者の足が適切に櫛板に着地するように駆動する。
【００１７】
装着型ロボット１は、装着者がエスカレータ３００から降りて歩行を再開する際に、アーカイブから装着者の歩行情報を読み出し、これに基づいて歩行支援を行う。また、装着型ロボット１は、アーカイブへの歩行情報の記録も再開する。
【００１８】
降口の照明１０２が発光する光には、周辺地図情報が含まれており、装着型ロボット１は、照明１０２の照明領域の位置２０３で周辺地図情報を受信する。
その後、装着型ロボット１は、周辺地図情報を用いて装着者の歩行を支援する。
図１のエスカレータ３００は、一例として、下りとなっているが、上りのエスカレータも同様である。また、乗口と降口の構造が同じため、エスカレータ３００を動く歩道としてもよい。
【００１９】
図２（ａ）は、装着型ロボット１の装着状態を示した図である。
装着型ロボット１は、装着者の腰部及び下肢に装着し、装着者の歩行を支援（アシスト）するものである。なお、例えば、上半身、下半身に装着して全身の動作をアシストするものであってもよい。
【００２０】
装着型ロボット１は、腰部装着部７、歩行アシスト部２、連結部８、３軸センサ３、３軸アクチュエータ６、撮像カメラ５、光源装置４、撮像カメラ５と光源装置４を保持する撮像ユニット９、無線通信装置１０、ナビゲーション装置１２などを備えている。
腰部装着部７は、装着型ロボット１を装着者の腰部に固定する固定装置である。腰部装着部７は、装着者の腰部と一体となって移動する。
また、腰部装着部７は、歩行アクチュエータ１７（図２（ｂ））を備えており、装着者の歩行動作に従って連結部８を前後方向などに駆動する。
【００２１】
連結部８は、腰部装着部７と歩行アシスト部２を連結している。
歩行アシスト部２は、装着者の下肢に装着され、歩行アクチュエータ１７により前後方向などに駆動されて装着者の歩行運動を支援する。
なお、腰部装着部７、連結部８、歩行アシスト部２による歩行支援は、一例であって、更に多関節の駆動機構によって歩行支援するなど、各種の形態が可能である。
【００２２】
３軸センサ３は、腰部装着部７に設置され、腰部装着部７の姿勢などを検知する。３軸センサ３は、例えば、３次元ジャイロによる３軸角速度検出機能や３軸角加速度検出機能などを備えており、前進方向、鉛直方向、体側方向の軸の周りの回転角度、角速度、角加速度などを検知することができる。
なお、前進方向の軸の周りの角度をロール角、鉛直方向の軸の周りの角度をヨー角、体側方向の軸の周りの角度をピッチ角とする。
【００２３】
３軸アクチュエータ６は、例えば、球体モータで構成されており、撮像カメラ５と光源装置４が設置された撮像ユニット９のロール角、ヨー角、ピッチ角を変化させる。
撮像ユニット９には、光源装置４と撮像カメラ５が固定されており、３軸アクチュエータ６を駆動すると、光源装置４の照射方向（光源装置４の光軸の方向）と撮像カメラ５の撮像方向（撮像カメラ５の光軸の方向）は、相対角度を保ったまま、腰部装着部７に対するロール角、ヨー角、ピッチ角を変化させる。
【００２４】
撮像ユニット９で適切な画像を撮像するためには、撮像ユニット９を所定の角度で歩行基準面（地面や床面など、装着者が歩行する歩行面）に向ける必要があるが、装着者が装着型ロボット１を装着した場合に、装着状態によって撮像ユニット９が傾くため、３軸アクチュエータ６によってこれを補正する。
【００２５】
光源装置４は、例えば、レーザ、赤外光、可視光などの光を所定の形状パターンで照射する。本実施の形態では、光源装置４は、照射方向に垂直な面に対して円形となる形状パターンで光を照射するものとするが、矩形形状、十字、点など各種の形状が可能である。
【００２６】
撮像カメラ５は、被写体を結像するための光学系と、結像した被写体を電気信号に変換するＣＣＤ（Ｃｈａｒｇｅ−Ｃｏｕｐｌｅｄ  Ｄｅｖｉｃｅ）を備えた、赤外光カメラ、可視光カメラなどで構成され、光源装置４が歩行基準面に照射した投影像を撮像（撮影）する。
光源装置４が所定の形状パターンで照射した光による投影像は、照射方向と歩行基準面の成す角度や、歩行基準面に存在する障害物（段差など）により円形から変形した（歪んだ）形状となるが、この形状を解析することにより前方に存在する段差を検知することができる。
【００２７】
無線通信装置１０は、照明１００が発光する光に含まれる踏板情報などの各種情報を検出する。
これにより、装着型ロボット１は、前方にエスカレータ３００の乗口が存在すること、あるいは、照明１０１からの踏板情報により、エスカレータ３００の降口が存在することを認識する。踏板の速度、ピッチ、ステップ幅などの踏板自体の情報も併せて認識させてもよい。
【００２８】
ここで、無線通信に照明光を用いたのは、情報を受信する箇所を照明領域に限定することができるほか、通常、エスカレータの設置箇所には照明が設置されており、これを利用すると無線通信のための新たな設備投資を低減することができるためである。
なお、照明光を用いず、通常の電波を用いた無線通信とすることも可能である。
【００２９】
ナビゲーション装置１２は、ＧＰＳ（Ｇｌｏｂａｌ  Ｐｏｓｉｔｉｏｎｉｎｇ  Ｓｙｓｔｅｍｓ）衛星からのＧＰＳ信号を受信したり、所定のサーバと通信したりして装着者の現在位置を特定したり、現在位置から目的地までの経路を探索したりなどのナビゲーション機能を有している。
装着型ロボット１は、ナビゲーション装置１２によって装着者がエスカレータ３００に乗るか否かを検出することも可能である。
【００３０】
図２（ｂ）は、装着型ロボット１に設置された装着ロボットシステム１５を説明するための図である。
装着ロボットシステム１５は、歩行支援機能を発揮するように装着型ロボット１を制御する電子制御システムである。
【００３１】
ＥＣＵ（Ｅｌｅｃｔｒｏｎｉｃ  Ｃｏｎｔｒｏｌ  Ｕｎｉｔ）１６は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、記憶装置、各種インターフェースなどを備えた電子制御ユニットであり、装着型ロボット１の各部を電子制御する。
【００３２】
ＣＰＵは、記憶媒体に記憶された各種コンピュータプログラムを実行し、装着者がエスカレータ３００で歩行を持続するのか否かを推定したり、当該推定結果を用いて歩行アクチュエータ１７を駆動して歩行支援を行ったりする。
ＣＰＵは、光源装置４、撮像カメラ５、３軸アクチュエータ６、３軸センサ３、無線通信装置１０、及びナビゲーション装置１２とインターフェースを介して接続しており、光源装置４からの照射をオンオフしたり、撮像カメラ５から撮像データを取得したり、３軸アクチュエータ６を駆動したり、３軸センサ３から検出値を取得したり、無線通信装置１０から踏板情報を取得したり、ナビゲーション装置１２から装着者の現在位置を取得したりする。
【００３３】
ＲＯＭは、読み取り専用のメモリであって、ＣＰＵが使用する基本的なプログラムやパラメータなどを記憶している。
ＲＡＭは、読み書きが可能なメモリであって、ＣＰＵが演算処理などを行う際のワーキングメモリを提供する。本実施の形態では、受信した踏板情報を記憶したり、段差までの距離を計算したりするためのワーキングメモリを提供する。
【００３４】
記憶装置は、例えば、ハードディスクやＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などで構成された大容量の記憶媒体を備えており、光源装置４の投影像を解析して階段やエスカレータなどの段差を認識するためのプログラム、歩行支援を行うためのプログラムなどの各種プログラムや、装着型ロボット１の歩行情報をサンプリングにより検出して記憶するためのアーカイブなどを記憶している。
【００３５】
歩行アクチュエータ１７は、ＥＣＵ１６からの指令に基づいて歩行アシスト部２を駆動する。
装着型ロボット１が、股関節、膝関節、足首関節などを有する多関節の場合は、各関節に歩行アクチュエータ１７が備えられており、ＥＣＵ１６は、これらを個別に制御することにより、装着型ロボット１に一体として歩行支援動作を行わせる。
【００３６】
図３の各図は、エスカレータ３００の乗降口における櫛板４０と踏板５０の段差を検出する方法を説明するための図である。
図３（ａ）は、エスカレータ３００の乗口での光の照射状態を示した図である。
エスカレータ３００の乗口は、櫛板４０と、櫛板４０の前方かつ櫛板４０より低い位置に配設された踏板５０を備えている。
櫛板４０の先端部分は、平坦部４１と、踏板５０にかけて形成された傾斜部４２を有しており、傾斜部４２による段差が形成されている。そして、傾斜部４２の先端からは、踏板５０が所定速度で繰り出されている。
【００３７】
図３（ｂ）は、乗口で撮像カメラ５が撮像した光源装置４の投影像２６の画像の一例である。
装着型ロボット１は、光源装置４によって所定形状パターンの光を段差に照射し、撮像カメラ５によって投影された像を撮像する。
本実施の形態では、光源装置４は円形断面の光を前進方向斜め下方に存在する歩行基準面に照射するため、歩行基準面が平面の場合、投影像２６は、前進方向を長軸とする楕円形となる。
ところが、投影像２６内に段差が存在すると、投影像２６が本来あるべき楕円形から歪み、画像認識によって当該歪みを検出することによって段差を検知することができる。
【００３８】
図３（ｂ）の例では、傾斜部４２による段差によって、櫛板４０の傾斜部４２の開始位置に対応する位置（画面フレーム３１の下端からｘピクセルの位置）、及び傾斜部４２の先端、即ち、踏板５０が繰り出される位置に対応する位置（画面フレーム３１の下端からｙピクセルの位置）に歪みが生じている。
なお、画面フレーム３１において前進する側の端を上端、装着者に近い側の端を下端とし、下端から上端までの距離をｚピクセルとする。
【００３９】
光源装置４の照射する光は、光源装置４から遠くに離れるに従って広がり、櫛板４０の傾斜は、先端にかけて基準面から低くなる方に傾斜しており、踏板５０は、櫛板４０よりも低い位置に存在する。
そのため、櫛板４０の傾斜では、櫛板４０の平坦な箇所に比べて投影像２６の幅が広がり、踏板５０は、櫛板４０よりも低い位置にあるため、投影像２６の幅は更に広がる。
【００４０】
このように、段差によって下に降りる場合は、画面フレーム３１の上端側で投影像２６の幅が広がる。逆に段差によって上に登る場合は、画面フレーム３１の上端側で投影像２６の幅が狭まる。
即ち、投影像２６の輪郭の歪み（不連続な箇所）によって段差の存在を認識し、投影像２６の幅によって、上りの段か下りの段かを判断することができる。
【００４１】
図３（ｃ）は、段差までの距離を求める方法を説明するための図である。
撮像カメラ５から、画面フレーム３１の下端に対応する位置までの水平距離をＣ、上端に対応する位置までの水平距離をＤ、下端から櫛板４０の傾斜部４２の開始位置までの距離をａ、下端から櫛板４０の先端部分までの距離をｂとする。
すると、画面フレーム３１のｘ、ｙ、ｚは、ａ、ｂ、（Ｄ−Ｃ）に対応するため、これらの比例式から、撮像カメラ５（即ち、装着者の位置）から櫛板４０の傾斜部４２の開始位置までの水平距離Ｃ＋ａは、次の式（１）で表される。
【００４２】
Ｃ＋ａ＝Ｃ＋ｘ（Ｄ−Ｃ）／ｚ  …  （１）
【００４３】
また、撮像カメラ５（即ち、装着者の位置）から櫛板４０の先端までの水平距離Ｃ＋ｂは、次の式（２）で表される。
これら式（１）、（２）は、記憶装置に格納されており、計算の際にＣＰＵによって読み出される。
【００４４】
Ｃ＋ｂ＝Ｃ＋ｙ（Ｄ−Ｃ）／ｚ  …  （２）
【００４５】
一般に、エスカレータ３００の乗降口の段差が小さいため、上記比例式を用いることができ、また、装着型ロボット１は、照明１００によって前方にエスカレータ３００の段差が存在することを認識するため、前方の段差に上記比例式を適用する。
なお、式（１）、（２）は、近似式の一例であって、これらと異なる式を用いてもよい。
【００４６】
図３（ｄ）は、エスカレータ３００の降口での光の照射状態を示した図であり、図３（ｅ）は、降口で撮像カメラ５が撮像した光源装置４の投影像２６の画像の一例である。
装着型ロボット１は、降口でも同様にして段差までの距離を計算することができる。
【００４７】
図４は、装着型ロボット１がエスカレータ３００で行う歩行支援の手順を説明するためのフローチャートである。
以下の処理は、ＥＣＵ１６のＣＰＵが所定のプログラムに従って行うものである。
まず、ＣＰＵは、装着者が固定された歩行面を通常歩行している間、装着型ロボット１の各所に取り付けたセンサや歩行アクチュエータ１７などの信号をサンプリングして歩行情報（歩幅、歩行ピッチ、歩行速度）をアーカイブに保存する（ステップ５）。
ここで、通常歩行とは、装着者が固定された平地上で行う歩行とする。
【００４８】
次に、ＣＰＵは、装着者が設備側通信範囲内にいるか否かを判断する（ステップ１０）。
ＣＰＵは、無線通信装置１０によって照明１００から送信される踏板情報の受信を試み、受信できた場合は、設備側通信範囲内にいると判断し、受信できない場合は、設備側通信範囲外にいると判断する。
装着者が設備側通信範囲内にいない場合（ステップ１０；Ｎ）、ＣＰＵは、ステップ５に戻る。
【００４９】
装着者が設備側通信範囲内にいる場合（ステップ１０；Ｙ）、ＣＰＵは、装着者がエスカレータ３００に乗ったか否かを判断する（ステップ１５）。
装着型ロボット１は、撮像ユニット９によってエスカレータ３００の乗口における櫛板４０と踏板５０の段差までの距離を計測し、装着者がこの距離を経過した場合に装着者がエスカレータ３００に乗ったと判断する。
【００５０】
装着者がエスカレータ３００にまだ乗っていないと判断した場合（ステップ１５；Ｎ）、ＣＰＵは、ステップ５に戻る。
装着者がエスカレータ３００に乗ったと判断した場合（ステップ１５；Ｙ）、ＣＰＵは、歩行情報のサンプリング、及び保存を停止する（ステップ２０）。
【００５１】
装着型ロボット１が記録した歩行情報は、装着者の健康管理のための履歴情報として用いたりなどの各種の利用形態が可能である。
そのため、通常歩行を行っている歩行情報に他の歩容を歩行情報が混在しないように本実施の形態では、エスカレータ３００に乗っている間の歩行情報は保存しないこととした。
【００５２】
なお、エスカレータ３００に乗っている間も歩行情報のサンプリングと保存を継続し、通常歩行の場合とエスカレータ３００に乗っている場合を区別するフラグ情報を歩行情報に付与して両者を区別可能としてもよい。
また、エスカレータ３００のみならず、階段を乗り降りしているときや、エレベータに乗っているときなど、歩容が行われた状況を区別する情報を歩行情報に付加して、より詳細な情報を収集するように構成することも可能である。
何れにせよ、装着型ロボット１は、エスカレータ３００における歩行情報は、降口での通常歩行再開時の歩行支援には使用しない。
【００５３】
次に、ＣＰＵは、直近の過去ｔ秒間（即ち、エスカレータ３００に乗る直前のｔ秒間）の歩行情報をアーカイブから読み出し、歩幅、歩行ピッチ、歩行速度の平均値を算出してＲＡＭに記憶する（ステップ２５）。
なお、より過去の歩行情報を用いてもよいが、装着者の日々の体調変化なども考慮し、直近の値を用いることにした。
【００５４】
次に、ＣＰＵは、装着者が設備側通信範囲内にいるか否かを判断する（ステップ３０）。
ＣＰＵは、無線通信装置１０によって照明１０１から送信される踏板情報の受信を試み、受信できた場合は、設備側通信範囲内にいると判断し、受信できない場合は、設備側通信範囲外にいると判断する。
装着者が設備側通信範囲内にいない場合（ステップ３０；Ｎ）、ＣＰＵは、ステップ３０で引き続き判断を行う。
【００５５】
装着者が設備側通信範囲内にいる場合（ステップ３０；Ｙ）、ＣＰＵは、装着者がエスカレータ３００から降りるか否かを判断する（ステップ３５）。
装着型ロボット１は、撮像ユニット９によってエスカレータ３００の降口における櫛板４０と踏板５０の段差までの距離を計測し、装着者がこの距離を経過する場合に装着者がエスカレータ３００を降りると判断する。
【００５６】
装着者がエスカレータ３００をまだ降りていないと判断した場合（ステップ３５；Ｎ）、ＣＰＵは、ステップ３０に戻る。
装着者がエスカレータ３００を降りると判断した場合（ステップ３５；Ｙ）、ＣＰＵは、歩行情報のサンプリング、及び保存を再開すると共に（ステップ４０）、ＲＡＭに記憶した歩幅、歩行ピッチ、歩行速度の平均値を読み出し、歩容がこれら平均値となるように歩行アクチュエータ１７を制御する（ステップ４５）。
【００５７】
なお、装着者が踏板５０を歩く場合と踏板５０で停止する場合があるが、装着型ロボット１は、装着者が歩く場合は歩行を支援し、停止する場合は直立状態を維持するように支援する。これは、歩く歩道の場合も同様である。
また、実施の形態で説明した制御方法は、通常歩行が何らかの理由によって中断した後、通常歩行を再開する場合に広く適用することができる。
例えば、装着者がエレベータに乗って希望階に到達した後に通常歩行を再開する場合や、装着者が歩道の赤信号で停止した後に青信号で通常歩行を再開する場合に適用することができる。
【００５８】
以上に説明した実施の形態により、次の効果を得ることができる。
（１）装着型ロボット１は、歩容が変化する前に、通常歩行の歩容を特定する歩行情報をアーカイブに記録することができる。
（２）装着型ロボット１は、歩容が通常歩行に復帰する際に、歩容変化前の通常歩行の歩行情報を用いて歩行制御を行い、装着者の感じる違和感を低減することができる。
（３）装着型ロボット１は、通常歩行再開時に歩容変化直前の歩行情報を用いることにより、装着者の日々の体調変化に対応した歩行制御を行うことができる。
【００５９】
また、以上に説明した実施の形態により、次の構成を提供することができる。
装着型ロボット１は、歩行アシスト部２や連結部８を駆動して装着者の歩行を支援するため、歩行支援対象者（装着者）の足部の動きを制御して歩行を支援する歩行支援手段を備えている。
また、装着型ロボット１は、装着者が通常歩行している場合の足の動きを歩行情報によって取得してアーカイブに記録するため、通常歩行における前記足部の動きを記録する記録手段を備えている。
また、装着型ロボット１は、装着者がエスカレータ３００に乗る場合に櫛板４０と踏板５０の段差までの距離を計測し、装着者が当該距離を超えたことを検出することにより、通常歩行が中断したことを検出するため、前記通常歩行が中断したことを検出する中断検出手段を備えている。
また、装着型ロボット１は、エスカレータ３００の降口にて櫛板４０と踏板５０の段差までの距離を計測し、装着者が当該段差に到達するとき装着者が通常歩行を再開すると判断するため、前記中断した通常歩行の再開を判断する判断手段を備えている。
また、装着型ロボット１は、装着者が通常歩行を再開すると判断した場合に、固定された平坦の歩行面での通常歩行を記録した歩行情報を用いて通常歩行での歩容と同じになるように装着者の歩行支援を再開するため、前記判断手段で通常歩行が再開すると判断された場合に、固定された歩行面で前記記録手段が記録した足部の動きを用いて前記歩行支援手段による歩行の支援を再開する歩行支援再開手段を備えている。
【００６０】
また、装着型ロボット１は、エスカレータ３００に乗っている間など、歩容が通常から変化している期間の歩行情報は、歩行支援再開に使用しないため、前記歩行支援再開手段は、前記通常歩行が中断してから再開するまでの前記足部の動きの記録は用いない。
【００６１】
また、装着型ロボット１は、エスカレータ３００に乗る直前のｔ秒間の歩行情報を用いて歩行支援を再開するため、前記歩行支援再開手段は、前記通常歩行が中断する直前の所定時間に前記記録手段が記録した足部の動きを用いて歩行の支援を再開している。
【００６２】
また、装着型ロボット１は、エスカレータ３００の乗口で櫛板４０と踏板５０の段差までの距離を計測することにより装着者が踏板５０、即ち移動する歩行面に乗ったことを検知して通常歩行の中断を検出するため、前記中断検出手段は、前記歩行支援対象者が移動する歩行面に乗ったことを検知することにより前記通常歩行の中断を検出している。
また、装着型ロボット１は、降口の櫛板４０と踏板５０の段差までの距離を計測することによりエスカレータ３００の終点、即ち、移動する歩行面の終点に到達したことを判断して通常歩行の歩行支援を再開するため、前記判断手段は、前記歩行支援対象者が前記移動する歩行面の終点に到達したことを判断することにより前記通常歩行が再開すると判断している。
【００６３】
また、ＥＣＵ１６の記憶装置には、歩行支援対象者の足部の動きを制御して歩行を支援する歩行支援機能と、通常歩行における前記足部の動きを記録する記録機能と、前記通常歩行が中断したことを検出する中断検出機能と、前記中断した通常歩行の再開を判断する判断機能と、前記判断機能で通常歩行が再開すると判断された場合に、固定された歩行面で記録した足部の動きを用いて前記歩行支援機能による歩行の支援を再開する歩行支援再開機能と、をコンピュータで実現する歩行支援プログラムが記憶されている。
【符号の説明】
【００６４】
１  装着型ロボット
２  歩行アシスト部
３  ３軸センサ
４  光源装置
５  撮像カメラ
６  ３軸アクチュエータ
７  腰部装着部
８  連結部
９  撮像ユニット
１０  無線通信装置
１２  ナビゲーション装置
１５  装着ロボットシステム
１６  ＥＣＵ
１７  歩行アクチュエータ
２６  投影像
３１  画面フレーム
４０  櫛板
４１  平坦部
４２  傾斜部
５０  踏板
１００〜１０２  照明
２００〜２０３  位置
３００  エスカレータ
【図１】
2012115313.tif 000003
【図２】
2012115313.tif 000004
【図３】
2012115313.tif 000005
【図４】
2012115313.tif 000006